(57)【要約】【課題】下部入球ユニットを遊技装置体と分離配置することで、遊技装置体の幅を縮小して形成できるようにするとともに下部入球ユニットの再利用性を高めることのできる遊技機を提供すること。【解決手段】この遊技機２は、遊技媒体の流下による遊技を行うための遊技領域６ｂが形成された遊技装置体６と、遊技装置体６を保持する機枠８と、機枠をその前方に開閉可能に保持する筐体枠４と、遊技装置体の前方に開閉可能に保持された前面枠１２と、遊技装置体に対して一定距離以上離間して前方に配置された前面透明板１０と、機枠、前面枠又は前面透明板のいずれかに取り付けられ、流下する遊技媒体をいずれかの入球口に入球させるために一連の入球口が連続的に配置された入球口セットを有して、遊技状態において遊技領域の前面下部に配置される下部入球ユニット３８と、を有している。【選択図】図３
2009082192.tif 000002
【特許請求の範囲】
【請求項１】
遊技媒体の流下による遊技を行うための遊技領域が形成された遊技装置体と、
該遊技装置体を保持する機枠と、
該機枠をその前方に開閉可能に保持する筐体枠と、
前記遊技装置体の前方に開閉可能に保持された前面枠と、
前記遊技装置体に対して一定距離以上離間して前方に配置された前面透明板と、
前記機枠、前記前面枠又は前記前面透明板のいずれかに形成された被取付け部に取り付けられ、前記流下する遊技媒体をいずれかの入球口に入球させるために一連の該入球口が連続的に配置された入球口セットと、前記被取付け部に取付けるための取付け基部とを有して、遊技状態において前記遊技装置体の前面下部に配置される下部入球ユニットと、を有する遊技機。
【請求項２】
前記遊技装置体が、前記下部入球ユニットの前記入球口セットの幅寸法と略同一の幅寸法で形成されている請求項１に記載の遊技機。
【請求項３】
前記入球口に入球した前記遊技媒体を、前記遊技装置体の下方を通して該遊技装置体の前方から後方へ導く誘導路をさらに有する請求項１又は請求項２に記載の遊技機。
【請求項４】
前記入球口セットの前面に上下又は左右に対向して形成されたガイドレールと、
該ガイドレールの間に交換可能に挿入されて遊技者から視認可能とされる装飾プレートと、をさらに有する請求項１から請求項３のうちいずれか１項に記載の遊技機。
【発明の詳細な説明】
【技術分野】
【０００１】
本発明は遊技機に係り、特に遊技領域の前面下部に配置される下部入球ユニットを遊技装置体と分離配置することで、遊技盤の幅寸法を縮小形成可能にするとともに下部入球ユニットの再利用性向上を図ることのできる遊技機に関する。
【背景技術】
【０００２】
パチンコ機等の遊技機では、弾球された球が遊技領域（遊技盤面上又はその近傍に形成された領域であって、球の流下による遊技や演出を実現するための領域。）を流下して、その流下の過程で球が遊技盤（遊技装置体）面上のゲージ（障害釘ともいう。）や羽根車に衝突しつつ転回して流下方向が変化する。そして、遊技領域に配置された各種入賞口や入球口への球の入賞に基づき所定の景品や利益の獲得が可能に構成されており、遊技者は、弾球における自らの技量を発揮して、又は球の流下における偶然性を利用しつつ球の入賞、入球及び景品や利益の獲得を期待し、遊技を楽しむのである。
【０００３】
例えば、雀球機やアレンジボール機等の組合せ式パチンコ機は、コインを投入すると所定個数（例えば、１１個。）の球が封入循環状態で発射可能に準備される。そして、その球を、１球ずつ狙いを定めて球発射して遊技を行うのである。組合せ式パチンコ機の遊技領域の前面下部には、複数の入球口が連続配置されており、その複数の入球口のうちいずれの入球口に球が入球したかによって生じる組合せに基づき、遊技者に対して景品の払出しが行われるようになっている。組合せの態様によって景品数が異なり、その景品払出しはコインの払出し（排出又はクレジット等。）によって行われる。
【０００４】
この組合せ式パチンコ機においては、複数の入球口が連続形成された下部入球ユニットを用いて、遊技領域に複数の入球口を連続配置している。このように、遊技領域の前面下部に下部入球ユニットが取り付けられたものが、例えば特許文献１に開示されている。
【０００５】
【特許文献１】特開平９−３８２７３号公報
【発明の開示】
【発明が解決しようとする課題】
【０００６】
このような遊技盤において、遊技盤の幅寸法を縮小することで、遊技盤自体の材料費を削減したり、遊技盤を保持する遊技機自体の幅寸法を縮小して材料費を削減したりしたいという要望がある。また、遊技盤の幅寸法を縮小することで、組合せ式パチンコ機と同様にコインを投入して遊技を行う遊技機であって、比較的小さな幅寸法で構成されるスロットマシン等に、幅寸法を合わせることができるようになり、部材の共通化等によって製造コストの削減を図ることもできるようになる。
【０００７】
遊技盤に下部入球ユニットが取り付けられる場合には、遊技盤の幅寸法の縮小に関して以下の問題が生じる。下部入球ユニットは、連続形成された入球口部分の一部が遊技盤に形成された開口に挿入されて取り付けられるようになっている。そして、その入球口部分は、遊技領域の幅寸法と略同じ幅寸法を有しており、遊技盤の強度確保等のために開口の左右、つまり遊技領域の外側に一定以上の周囲部分が必要となるのである。つまり、遊技領域部分の幅寸法よりも周囲部分の寸法分だけ大きく遊技盤を形成しなければならないのである。
【０００８】
また、遊技機が多数設置される遊技機ホールにおいては、遊技機の遊技盤を交換することが行われる。新しい盤面構成やデザインの遊技盤に交換することで遊技者に新鮮な遊技を提供して、遊技者が飽きてしまうのを防止しているのである。
【０００９】
この遊技盤交換の際に、その遊技盤に取り付けられた下部入球ユニットを再利用しようとすると、交換された古い遊技盤から下部入球ユニットを取り外す作業を行わなければならず面倒である。特に下部入球ユニットの再利用を遊技盤の交換と同時に行おうとすれば、取り外した下部入球ユニットをその場で新しい遊技盤に取り付けなければならず、余計な手間と時間がかかってしまう。
【００１０】
下部入球ユニットを再利用せずに遊技盤とともに廃棄すれば、遊技盤交換のたびに下部入球ユニットまでも廃棄することになり無駄が多くなってしまう。
【００１１】
本発明は、上記の事情に鑑みて為されたもので、下部入球ユニットを遊技装置体と分離配置することで、遊技装置体の幅を縮小して形成できるようにするとともに下部入球ユニットの再利用性を高めることのできる遊技機を提供することを例示的課題とする。
【課題を解決するための手段】
【００１２】
上記の課題を解決するために、本発明の例示的側面としての遊技機は、遊技媒体の流下による遊技を行うための遊技領域が形成された遊技装置体と、遊技装置体を保持する機枠と、機枠をその前方に開閉可能に保持する筐体枠と、遊技装置体の前方に開閉可能に保持された前面枠と、遊技装置体に対して一定距離以上離間して前方に配置された前面透明板と、機枠、前面枠又は前面透明板のいずれかに形成された被取付け部に取り付けられ、流下する遊技媒体をいずれかの入球口に入球させるために一連の入球口が連続的に配置された入球口セットと、被取付け部に取り付けるための取付け基部とを有して、遊技状態において遊技装置体の前面下部に配置される下部入球ユニットと、を有する。
【００１３】
下部入球ユニットが、機枠、前面枠又は前面透明板のいずれかに形成された被取付け部に取り付けられるので、遊技装置体に下部入球ユニット取付け用の開口を形成する必要がなくなる。したがって、遊技装置体の強度確保のための周囲部分が不要となり、入球口セットの幅寸法に合わせて遊技装置体の幅寸法を縮小することができるようになる。遊技装置体の幅寸法を縮小することで、遊技装置体の材料を削減することができ、製造コストを削減することもできる。
【００１４】
一方で、遊技装置体の幅寸法を縮小せずに、遊技装置体の幅寸法に合わせて入球口セットを形成すれば、入球口セットの幅寸法を拡張することができ、より多くの入球口を入球口セットに配置することができるようになる。例えば、雀球機では、入球口それぞれに麻雀牌としての意味合いを持たせているため、多くの入球口が必要となり、入球口セットの上方の遊技領域にも入球口が配置されていたが、これらを入球口セットに組み入れることも可能となる。
【００１５】
遊技装置体の幅寸法を縮小形成することで、遊技機自体の幅寸法も縮小することができるようになる。雀球機等の組合せ式パチンコ機をスロットマシンと同じ幅寸法で形成することができれば、部材の共通化を図ることによって、製造コストの削減を図ることもできる。また、遊技機ホールにおいて、それまでスロットマシンが設置されていた場所に雀球機等を設置できるようになり、設置機会の増加を図ることができる。また、スロットマシン用に設置されていたコイン貸出機をそのまま使用して雀球機等で遊技することができるので、設置コストを削減することもできる。
【００１６】
下部入球ユニットが、機枠、前面枠又は前面透明板のいずれかに取り付けられているので、遊技装置体交換の際に、下部入球ユニットを機枠等に取り付けたままで遊技装置体だけを交換することができる。したがって、遊技装置体交換の際に下部入球ユニットを簡単に再利用することができ、再利用のための余計な作業や無駄を省くことができる。
【００１７】
下部入球ユニットが、前面枠又は前面透明板に取り付けられていれば、前面枠を開くだけで下部入球ユニットを遊技装置体の前面から退避させることができる。したがって、機枠の前面から遊技装置体を着脱する際に下部入球ユニットが邪魔にならず、簡単に遊技装置体を交換することができる。
【００１８】
下部入球ユニットが機枠に取り付けられていれば、同じく機枠に保持される遊技装置体に対する下部入球ユニットの位置ずれを防ぐことができる。例えば、機枠に保持された前面枠にガタ付きがある場合でも、機枠に下部入球ユニットが取り付けられていれば遊技装置体に対して下部入球ユニットがガタ付いたり位置ずれしてしまうことがない。
【００１９】
ここで、入球口セットとは、下部入球ユニットのうち、遊技媒体を入球させるための複数の入球口が左右一列に連続配置された部分をいう。例えば、入球口セットを、前面枠等に取り付けるために、入球口が連続配置された部分よりも外側に張り出して取付け基部が形成されている場合には、その取付け基部は入球口セットには含まれない。
【００２０】
なお、本願においては、遊技機から遊技者に向かう方向が「前方」であり、前方を向く面が「前面」・「表面」である。逆に遊技者から遊技機に向かう方向が「後方」であり、後方を向く面が「後面」・「裏面」である。また、遊技者から見て左方向が「左」・「左側」、遊技者から見て右側が「右」・「右側」、遊技者から見て上方向が「上」・「上方」、遊技者から見て下方向が「下」・「下側」である。
【００２１】
遊技装置体が、下部入球ユニットの入球口セットの幅寸法と略同一の幅寸法で形成されていてもよい。遊技装置体を入球口セットの幅寸法と略同一の幅寸法で形成すれば、遊技装置体の幅寸法を入球口セットの幅寸法まで縮小させることができる。
【００２２】
入球口に入球した遊技媒体を、遊技装置体の下方を通して遊技装置体の前方から後方へ導く誘導路をさらに有していてもよい。入球口に入球した遊技媒体が、誘導路によって遊技装置体の下方から遊技装置体の後方へと導かれるので、遊技装置体に遊技媒体を通すための開口を形成する必要がない。特に開口下方の周囲部分が不要となるので、遊技装置体の上下寸法を縮小することができる。したがって、遊技装置体を上下にも左右にも縮小することで、全体的に遊技装置体を小型化することができ、遊技装置体の材料削減、製造コストの削減に寄与することができる。
【００２３】
入球口セットの前面に上下又は左右に対向して形成されたガイドレールと、ガイドレールの間に交換可能に挿入されて遊技者から視認可能とされる装飾プレートと、をさらに有していてもよい。
【００２４】
入球口セットの前面に装飾プレートが挿入されているので、装飾プレートに描かれた図柄等によって、各入球口の意味合いを遊技者に視覚的に認識させることができる。例えば、雀球機であれば装飾プレートに麻雀牌を描いて、どの入球口がどの麻雀牌に対応するのかを遊技者に視覚的に認識させることができる。
【００２５】
また、装飾プレートが交換可能とされているので、装飾プレートを適宜変更することができる。例えば、遊技装置体の交換に合わせて、各入球口の意味合いを異ならせることができる。遊技装置体の交換により、遊技機が雀球機からアレンジボール機に変更された場合には、麻雀牌が描かれた装飾プレートを、数字が描かれた装飾プレートに交換することで、各入球口の意味合いを麻雀牌から数字に変更することができる。
【００２６】
なお、装飾プレートによって下部入球ユニットの前面を装飾面とすることもできる。例えば、下部入球ユニットの前面を遊技機全体のデザインに合わせた装飾にしたり、遊技装置体が交換されるたびに、その遊技装置体のデザインに合わせた装飾としたりすることができる。
【００２７】
本発明の更なる目的又はその他の特徴は、以下添付図面を参照して説明される好ましい実施の形態によって明らかにされるであろう。
【発明の効果】
【００２８】
本発明によれば、遊技状態において遊技領域の前面下部に配置される下部入球ユニットを、遊技装置体と分離して機枠等に取り付けることで、遊技装置体の幅寸法等の自由度を高めるとともに、下部入球ユニットの再利用性向上を図ることができる。
【発明を実施するための最良の形態】
【００２９】
［実施の形態］
以下、本発明の実施の形態について図面を用いて説明する。図１は、本発明の実施の形態に係る遊技機としての雀球機２の外観斜視図である。この雀球機２は、筐体枠４、遊技盤（遊技装置体）６、機枠８、前面ガラス（前面透明板）１０、装飾枠（前面枠）１２、皿枠１６を有している。
【００３０】
遊技機は、コインを投入して遊技を行う遊技機であり、本実施の形態においては、その中でも特に雀球機２を例示して説明するが、遊技機としては他にもアレンジボール機等の組合せ式パチンコ機、封入循環式パチンコ機、等の種々のパチンコ機が含まれる。
【００３１】
筐体枠４は、この雀球機２の周囲を囲む枠体であり、平面視略長方形に構成され、材料としては木材・樹脂・金属等が適用可能である。筐体枠４は、雀球機２の上下面及び左右側面を囲み、前方から見て左側面側には機枠８及び装飾枠１２を揺動支持するためのヒンジ部（揺動支持部）１８が設けられている。
【００３２】
遊技盤６は、この雀球機２において、遊技媒体としての球２０の流下による遊技を行うための遊技領域６ｂが形成された遊技装置体である。図２に示すように遊技盤６の遊技盤面６ａ上には、レール飾り１４が配置されている。このレール飾り１４の内側面１４ａに囲まれた領域が遊技領域６ｂとなる。遊技盤面６ａにはランプ２２、通過口（ゲート）２４、下部入球ユニット３８等の多数の役物が配置されている。また、遊技状態（後述する装飾枠１２が閉鎖されて、球２０の流下による遊技が可能となっている状態。）における遊技盤面６ａの前面下方部分には、各々所定の麻雀牌に対応して多数の下部入球口（入球口）２８を有する下部入球ユニット３８が配置されている。下部入球ユニット３８は、本実施の形態では装飾枠１２に取り付けられており、その機能等については後に詳説する。
【００３３】
遊技盤面６ａには、球２０の流下方向を変化させるための多数のゲージ（障害釘、図示せず。）も配置されており、遊技盤面６ａ上を流下する球２０がゲージに衝突しつつ通過口２４を通過したり上部入球口２６，下部入球口２８に入球したりすることによって、遊技が演出される。
【００３４】
機枠８は、遊技盤６を保持するための枠体で、筐体枠４の前方に配置されてヒンジ部１８において筐体枠４に揺動支持され、筐体枠４に対して前面開閉可能とされている。
【００３５】
機枠８には、図３に示すように遊技盤取付け開口８ａが形成されており、その取付け開口８ａに対して遊技盤６がはめ込まれ固定具（図示せず。）によって固定されている。
【００３６】
遊技盤取付け開口８ａの左側方には、発射レール８ｂが形成されている。発射レール８ｂは、図示しない発射装置から発射された球２０を遊技領域６ｂの上方に導くためのものである。発射レール８ｂが遊技盤６ではなく機枠８に形成されていることにより、本実施の形態のように遊技盤６の幅寸法を後述する入球口セットの幅寸法と略同一の幅寸法で形成することができるようになる。したがって、遊技盤６の幅寸法のより一層の縮小形成が可能となる。
【００３７】
遊技盤取付け開口８ａの下方には誘導路９が配置されている。誘導路９は、遊技領域６ｂを流下し、下部入球口２８に入球した球２０を遊技盤６の下方を通して遊技盤６の前方から後方へと導くための球通路である。なお、この雀球機２においては、所定個数（例えば、１１個。）の球２０が機内に封入循環されており、遊技盤６に向けて発射された球２０が遊技領域６ｂを流下し、誘導路９を通って球供給装置へと導かれ、その球供給装置によって再び発射装置へと送り出されるようになっている。
【００３８】
前面ガラス１０は、遊技盤６に対して一定距離以上離間して前方に配置された透明板である。前面ガラス１０は透明平板ガラスで形成され、遊技盤６との間に球２０が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００３９】
装飾枠１２は、前面ガラス１０とその周囲を囲む装飾部材３６とを保持するための枠体である。その装飾枠１２は、機枠８の前面側に配置されてヒンジ部１８において機枠８とともに筐体枠４に揺動支持され、機枠８に対して前面開閉可能とされている。
【００４０】
装飾枠１２の略中央部には遊技者の視認確保のために大きく開口された中央開口１２ａが形成され、その中央開口１２ａに前面ガラス１０が取り付けられている。
【００４１】
中央開口１２ａの下方には前方（遊技者側）に膨出する膨出部１２ｂが形成され、その膨出部１２ｂにコイン投入ユニット１３、液晶表示部３２ａ、操作ボタン３２ｂが配置されている。
【００４２】
装飾枠１２の後面には、下部入球ユニット３８が取り付けられている。下部入球ユニット３８は、図４に示すように、入球口セット４０、取付け基部４２を有して大略構成されている。
【００４３】
入球口セット４０は、横長の直方体形状を呈しており、その上面に多数（本実施の形態においては２５個。）の下部入球口２８が連続的に配置されている。下部入球口２８は、装飾枠１２が閉鎖された状態において、遊技領域６ｂの前面下部に配置され、遊技領域６ｂを流下する球２０を入球させることができる。なお、入球口の数は２５個に限られず、それより多くても構わないし、少なくても構わない。
【００４４】
また、遊技盤６は、その幅寸法が入球口セット４０の幅寸法と略同一となるように形成されている。装飾枠１２に対して下部入球ユニット３８を取り付けているので、遊技盤６に取付け用の開口が不要となり、開口の左右に設けられる周囲部分も不要となって、遊技盤６の幅寸法を縮小して形成することが可能となっているのである。
【００４５】
入球口セット４０の内部であって、下部入球口２８それぞれに対応するように球検出器４４が配置されている（図には１つだけ例示し、他の球検出器は省略する。）。球検出器４４からは、遊技盤６より後方に配置された遊技制御装置（図示せず。）に向けて配線４４ａが延びている。球検出器４４には、通過孔４４ｂが形成されており、下部入球口２８に入球した球２０が通過孔を通過したことを検出すると、球検出器４４は遊技制御装置に向けて検出信号を送信する。この検出信号によっていずれの下部入球口２８に球２０が入球したかを検出できるのである。なお、球検出器４４から延びる配線４４ａは、ヒンジ部１８側に引廻されて配線されて、遊技盤６より後方に配置された遊技制御基板に接続されている。したがって、装飾枠１２の開放動作に伴い、下部入球ユニット３８が遊技盤６から離れていっても配線が断線してしまうことがない。
【００４６】
取付け基部４２は、入球口セット４０の前面４０ｂよりも前方に、左右に張り出すように形成されている。取付け基部４２には、取付け孔４２ａが形成されており、この取付け孔４２ａを使用して装飾枠１２の中央開口１２ａ周囲に形成された被取付け部に下部入球ユニット３８がビス固定されている。
【００４７】
取付け基部４２は、内側方向に向けて突出した凸部４２ｂを有している。凸部４２ｂと入球口セット４０の前面４０ｂとで隙間が形成され、この左右に対向して形成された隙間がガイドレール４６となる。
【００４８】
ガイドレール４６には、上方から装飾プレート４８を挿入することができるようになっている。挿入された装飾プレート４８は、入球口セット４０の前面下部に突出形成された受部４０ｃによって受け止められて、下方に抜け落ちてしまうのが防止されている。また、ガイドレール４６に挿入された装飾プレート４８は、上方に引き上げることで容易に抜取ることが可能となっており、装飾プレート４８の交換を簡単なものにしている。
【００４９】
装飾プレート４８の装飾面４８ａには、多数の麻雀牌の図柄が描かれている（図柄の図示は省略する。）。描かれている麻雀牌の数は下部入球口２８の数と等しく、装飾プレート４８がガイドレール４６に挿入された状態で、下部入球口２８それぞれに１の麻雀牌が対応するように描かれている。この図柄によってそれぞれの下部入球口２８が麻雀牌としての意味合いを持つことを遊技者に視覚的に認識させることができるのである。
【００５０】
なお、本実施の形態ではガイドレール４６が左右に対向するように形成されているが、取付け基部４２を入球口セット４０の上下に形成し、ガイドレール４６も上下に対向するように形成してももちろん構わない。
【００５１】
図３に示すように、装飾枠１２の後面には下部入球ユニット３８が取り付けられている。  下部入球ユニット３８は、装飾枠１２の閉鎖状態では、遊技盤６の前面下方に配置され（図２も参照。）ているが、装飾枠１２の開放動作に伴い下部入球ユニット３８も移動し、遊技盤６の前面から退避するため、遊技盤６を機枠８の前方から容易に交換することができる。
【００５２】
皿枠１６は、景品として払い出されるコインを貯留するための受皿１７が形成された枠体であって、装飾枠１２の下方に機枠８に対して前面開閉可能に支持されている。
【００５３】
皿枠１６の前面右側部分には、遊技盤６に向けて球２０を発射するためのハンドル３０が設けられている。ハンドル３０は、遊技者の手動操作に基づいて回転可能とされた球発射用のハンドルであって、本実施の形態においては回転支軸部３０ａ、レバー部３０ｂを有して構成されている。
【００５４】
レバー部３０ｂは、ハンドル３０の回転中心となる回転支軸部３０ａから回転半径方向に向けて延長された部分であって、遊技者が手で直接操作する部分である。遊技者がハンドル３０を所定方向（矢印Ｘの方向。）に所定量回転させ、手を離すと遊技盤面上に球２０が発射されるようになっている。本実施の形態においては、ハンドル３０の回転量に応じた強度で球２０が発射されるようになっている。
【００５５】
コイン投入ユニット１３から所定枚数のコインが投入されると、この雀球機２による遊技が開始可能となり、液晶表示部３２ａに所定個数の麻雀牌図柄が手持ち牌として配牌されて画像表示される。
【００５６】
遊技者が操作ボタン３２ｂの操作により手持ち牌の中から不要牌を選択すると、球発射可能となり、遊技者がハンドル３０を手動操作して球発射を行い、球２０が１つの下部入球口２８に入球すると、その下部入球口２８に対応する麻雀牌図柄が液晶表示部３２ａ上に表示され、手持ち牌に補充される。
【００５７】
再び遊技者が不要牌を選択して球発射を行い、球２０が入球した下部入球口２８に対応する麻雀牌が補充される。この操作を所定回数（例えば、１１回。）繰り返した結果、手持ち牌が所定のアガリ役になっていれば、景品としてのコインが受皿１７に向けて払い出される。
【００５８】
なお、本実施の形態では、下部入球ユニット３８を装飾枠１２に取り付けたが、前面枠としての前面ガラス１０を透明のアクリル板等で構成すれば、アクリル板に被固定部を形成し、その被固定部に取付け基部４２をビス固定して下部入球ユニット３８を取り付けることもできる。
【００５９】
［変形例］
遊技領域６ｂの前面下部に配置される下部入球ユニットの取付け位置には変形例が概念できる。図５は、変形例として下部入球ユニット１３８を機枠８に取り付けた状態を示す図である。
【００６０】
下部入球ユニット１３８は、入球口セット１４０を有しており、その後面の左右に張り出して取付け基部１４２が形成されている。取付け基部１４２には取付け孔１４２ａが形成されており、この取付け孔１４２ａを使用して機枠８に形成された被取付け部に下部入球ユニット１３８が取り付けられている。
【００６１】
遊技盤６と下部入球ユニット１３８とが同じ機枠８に取り付けられることで、両者の位置関係は一義的に定まることとなる。したがって、機枠８に対して開閉可能に保持された装飾枠１２等に下部入球ユニット１３８を取り付けた場合に比べて、遊技盤６と下部入球ユニット１３８とが位置ずれを起こしにくくなる。
【００６２】
以上、本発明の好ましい実施の形態を説明したが、本発明はこれらに限定されるものではなく、その要旨の範囲内で様々な変形や変更が可能である。
【図面の簡単な説明】
【００６３】
【図１】本発明の実施の形態に係る雀球機の外観斜視図である。
【図２】図１に示す雀球機が有する遊技盤、下部入球ユニット及び誘導路の遊技状態における位置関係を示すための外観斜視図である。
【図３】図１に示す雀球機が有する装飾枠を開放した状態を示す外観斜視図である。
【図４】図１に示す雀球機が有する下部入球ユニットの外観斜視図である。
【図５】変形例に係る下部入球ユニットの取付け位置を説明するための図であって、機枠の外観斜視図である。
【符号の説明】
【００６４】
Ｘ：矢印
２：雀球機（遊技機）
４：筐体枠
６：遊技盤（遊技装置体）
６ａ：遊技盤面
６ｂ：遊技領域
８：機枠
８ａ：遊技盤取付け開口
８ｂ：発射レール
９：誘導路
１０：前面ガラス（前面透明板）
１２：装飾枠（前面枠）
１２ａ：中央開口
１２ｂ：膨出部
１３：コイン投入ユニット
１４：レール飾り
１４ａ：内側面
１６：皿枠
１７：受皿
１８：ヒンジ部（揺動支持部）
２０：球（遊技媒体）
２２：ランプ
２４：通過口（ゲート）
２６：上部入球口
２８：下部入球口（入球口）
３０：ハンドル
３０ａ：回転支軸部
３０ｂ：レバー部
３２ａ：液晶表示部
３２ｂ：操作ボタン
３６：装飾部材
３８，１３８：下部入球ユニット
４０，１４０：入球口セット
４０ｂ：前面
４０ｃ：受部
４２，１４２：取付け基部
４２ａ，１４２ａ：取付け孔
４２ｂ：凸部
４４：球検出器
４４ａ：配線
４４ｂ：通過孔
４６：ガイドレール
４８：装飾プレート
４８ａ：装飾面
【図１】
2009082192.tif 000003
【図２】
2009082192.tif 000004
【図３】
2009082192.tif 000005
【図４】
2009082192.tif 000006
【図５】
2009082192.tif 000007